(57)【要約】  本発明の環境総合制御システム１によれば、特異因子から第２因子が受ける影響度が高い空間と、当該影響度が低い空間との分布態様が、第１因子により表わされる気象状況の指向性に応じて変動することに鑑みて、複数の単位空間のクラスタリングが実行される。そして、クラスタごとに、第２因子が受ける影響の有無または程度が考慮された上で、当該第２因子に基づいて建造物に設置されている空調設備２の動作態様が制御される。
2012035659.tif 000002
【特許請求の範囲】
【請求項１】
気象状況に応じて、複数の建造物のそれぞれに設置されている空調設備の動作を制御するように構成されているシステムであって、
対象空間が分割されることにより定義されている単位空間ごとに、指向性を有する気象状況を表わす第１因子および指向性を有しない気象状況を表わす第２因子を含む気象情報を認識するように構成されている気象情報認識要素と、
前記気象情報認識要素により認識された気象情報に含まれる前記第１因子と、前記対象空間において前記第２因子の変動因子となる特異因子の配置態様とに鑑みて、前記第２因子が影響を受ける単位空間から構成される第１種クラスタと、当該影響を受けない単位空間から構成される第２種クラスタとを含む複数のクラスタを定義するように構成されているクラスタリング要素と、
前記クラスタリング要素により定義されたクラスタごとに、前記気象情報認識要素により認識された気象情報に含まれる前記第２因子に対する前記特異因子による影響の有無または程度を考慮に入れた上で、当該第２因子に基づいて建造物に設置されている前記空調設備の動作の制御態様を設定するように構成されている制御シナリオ設定要素とを備えていることを特徴とする環境総合制御システム。
【請求項２】
請求項１記載の環境総合制御システムにおいて、
前記クラスタリング要素が、水平方向および鉛直方向のそれぞれに広がりを有する立体的な単位空間を構成要素とする複数のクラスタを定義するように構成され、
前記制御シナリオ設定要素が、同一の建造物に異なるクラスタに属する部分が並存している場合、当該部分ごとに空調態様が異なるように、前記空調設備の動作の制御態様を設定するように構成されていることを特徴とする環境総合制御システム。
【請求項３】
請求項１記載の環境総合制御システムにおいて、
前記クラスタリング要素が、前記第１因子としての風向または風向および風速と、前記特異因子としての冷熱源または温熱源、および、空気の流れを妨げる物体のうち少なくとも１つの位置とに基づき、前記第１種クラスタと前記第２種クラスタを含む複数のクラスタを定義するように構成され、
前記制御シナリオ設定要素が、前記第２因子としての温度または温度および湿度に基づき、前記空調設備の動作の制御態様を設定するように構成されていることを特徴とする環境総合制御システム。
【請求項４】
請求項１記載の環境総合制御システムにおいて、
前記クラスタリング要素が、前記第１因子としての日照方向または日照方向および日射量と、前記特異因子としての日照を妨げる物体のうち少なくとも１つの位置とに基づき、前記第１種クラスタと前記第２種クラスタを含む複数のクラスタを定義するように構成され、
前記制御シナリオ設定要素が、前記第２因子としての温度または温度および湿度に基づき、前記空調設備の動作の制御態様を設定するように構成されていることを特徴とする環境総合制御システム。
【請求項５】
請求項１記載の環境総合制御システムにおいて、
前記制御シナリオ設定要素が、前記クラスタごとに建造物の空調コスト、当該空調により外部環境に与えられる環境負荷、または、建造物の内部環境の人間にとっての快適指数が目標範囲に収まるように、前記空調設備の動作の制御態様を設定するように構成されていることを特徴とする環境総合制御システム。
【発明の詳細な説明】
【技術分野】
【０００１】
本発明は、気象状況に応じて、複数の建造物のそれぞれに設置されている空調設備の動作を制御する技術に関する。
【背景技術】
【０００２】
複数のビルのそれぞれの空調等の設備の動作を、エネルギーコストの節約を考慮しながら制御する技術が提案されている（特許文献１参照）。【０００３】
都市を分割する各区域における空気汚染レベルを観測し、あるいは、風向、風速および地形等の因子を考慮に入れて予測し、空気汚染レベルの観測または予測結果に基づいて各区域における建物の換気装置の動作を制御する技術が提案されている（特許文献２参照）。
【先行技術文献】
【特許文献】
【０００４】
【特許文献１】特開２００１−３３８０３６号公報
【特許文献２】特表２００９−５２７８３８号公報
【発明の概要】
【発明が解決しようとする課題】
【０００５】
しかし、前記先行技術に開示されている因子が考慮されただけでは、地理的に分散して配置されている複数の建造物の空調設備の動作の制御態様が、建造物の環境に鑑みて不適当なものになる可能性があった。【０００６】
そこで、本発明は、建造物の環境に影響を与える様々な因子の存在に鑑みて、建造物に設置されている空調設備の動作を適当な態様で制御することができるシステムを提供することを解決課題とする。
【課題を解決するための手段】
【０００７】
本発明の環境総合制御システムは、建造物の外部環境に応じて、当該建造物に設置されている空調設備の動作を通じて当該建造物の内部環境を制御するように構成されているシステムであって、対象空間が分割されることにより定義されている単位空間ごとに、指向性を有する気象状況を表わす第１因子および指向性を有しない気象状況を表わす第２因子を含む気象情報を認識するように構成されている気象情報認識要素と、前記気象情報認識要素により認識された気象情報に含まれる前記第１因子と、前記対象空間において前記第２因子の変動因子となる特異因子の配置態様とに鑑みて、前記第２因子が影響を受ける単位空間から構成される第１種クラスタと、当該影響を受けない単位空間から構成される第２種クラスタとを含む複数のクラスタを定義するように構成されているクラスタリング要素と、前記クラスタリング要素により定義されたクラスタごとに、前記気象情報認識要素により認識された気象情報に含まれる前記第２因子に対する前記特異因子による影響の有無または程度を考慮に入れた上で、当該第２因子に基づいて建造物に設置されている前記空調設備の動作の制御態様を設定するように構成されている制御シナリオ設定要素とを備えていることを特徴とする（第１発明）。【０００８】
本発明の環境総合制御システムによれば、対象空間に存在する特異因子の周囲において、当該特異因子から第２因子が受ける影響度が高い空間と、当該影響度が低い空間との分布態様が、第１因子により表わされる気象状況の指向性に応じて変動することに鑑みて、複数の単位空間のクラスタリングが実行される。クラスタは、気象状況の指向性に応じて、特異因子を基準として偏向的に広がった形状を有している。【０００９】
そして、クラスタリングにより定義されたクラスタごとに、第２因子が受ける影響の有無または程度が考慮された上で、当該第２因子に基づいて建造物に設置されている空調設備の動作態様が制御される。【００１０】
たとえば、第１種クラスタを構成する単位空間においては、気象情報に含まれる第２因子に対する特異因子の影響が勘案された上で、空調設備の動作が制御される。また、第２種クラスタを構成する単位空間においては、気象情報に含まれる第２因子が主に勘案された上で、空調設備の動作が制御される。ここで、気象情報は、未来における予測気象情報のほか、現在における観測気象情報をも包含する概念である。【００１１】
これにより、第２因子に対する特異因子の影響度の高低に応じた適当な態様で、地理的に分散している複数の建造物における空調設備の動作が総合的に制御されうる。【００１２】
前記クラスタリング要素が、水平方向および鉛直方向のそれぞれに広がりを有する立体的な単位空間を構成要素とする複数のクラスタを定義するように構成され、前記制御シナリオ設定要素が、同一の建造物に異なるクラスタに属する部分が並存している場合、当該部分ごとに空調態様が異なるように、前記空調設備の動作の制御態様を設定するように構成されていてもよい（第２発明）。【００１３】
前記クラスタリング要素が、前記第１因子としての風向または風向および風速と、前記特異因子としての冷熱源または温熱源、および、空気の流れを妨げる物体のうち少なくとも１つの位置とに基づき、前記第１種クラスタと前記第２種クラスタを含む複数のクラスタを定義するように構成され、前記制御シナリオ設定要素が、前記第２因子としての温度または温度および湿度に基づき、前記空調設備の動作の制御態様を設定するように構成されていてもよい（第３発明）。【００１４】
前記クラスタリング要素が、前記第１因子としての日照方向または日照方向および日射量と、前記特異因子としての日照を妨げる物体のうち少なくとも１つの位置とに基づき、前記第１種クラスタと前記第２種クラスタを含む複数のクラスタを定義するように構成され、前記制御シナリオ設定要素が、前記第２因子としての温度または温度および湿度に基づき、前記空調設備の動作の制御態様を設定するように構成されていてもよい（第４発明）。【００１５】
前記制御シナリオ設定要素が、前記クラスタごとに建造物の空調コスト、もしくは、当該空調により外部環境に与えられる環境負荷が閾値以下になるように、または、建造物の内部環境が指定内部環境に近づくように、前記空調設備の動作の制御態様を設定するように構成されていてもよい（第５発明）。【００１６】
当該構成の環境総合制御システムによれば、クラスタごとに（１）建造物の空調コスト節約、（２）当該空調により外部環境に与えられる環境負荷低減、または、（３）建造物の内部における快適性等の向上を図りうるように、各空調設備の動作が制御されうる。
【図面の簡単な説明】
【００１７】
【図１】本発明の環境総合制御システムの構成説明図。
【図２】本発明の環境総合制御方法に関する説明図。
【図３】平面的クラスタリングに関する第１の例示説明図。
【図４】平面的クラスタリングに関する第２の例示説明図。
【図５】立体的クラスタリングに関する説明図。
【発明を実施するための形態】
【００１８】
（環境総合制御システムの構成）
図１に示されている環境総合制御システム１は、各建造物に設置されている空調設備２とネットワークを通じて通信可能に構成されている、一または複数のサーバコンピュータにより構成されている。
【００１９】
環境総合制御システム１は、気象情報認識要素１１と、クラスタリング要素１２と、制御シナリオ設定要素１３とを備えている。システムの各構成用要素は、コンピュータのハードウェア資源であるＣＰＵ（演算処理装置）およびメモリ（記憶装置）により構成されている。各構成要素は全体的にまたは部分的に物理的に共通のハードウェア資源によって構成されていてもよく、物理的に別個のハードウェア資源によって構成されてもよい。
【００２０】
コンピュータまたはその構成要素がある演算処理を実行するように構成されているとは、ＣＰＵがメモリからデータおよびプログラム（ソフトウェア）を読み取り、読み取ったデータを対象にこのプログラムにしたがって当該演算処理を実行するようにプログラムされていることを意味する。
【００２１】
気象情報認識要素１１は、たとえば外部の気象情報局から、ネットワーク経由で単位空間ごとの気象情報を受信するように構成されている。気象情報局は、複数の異なる個所に設置された温度計、湿度計、風向計および風量計等のさまざまな気象状況センサによる検知結果をネットワーク経由で収集することにより、単位空間ごとの気象情報を観測かつ予測するように構成されている。気象情報は、基本的に後述する特異因子の存在は考慮されずに作成されている。気象情報には、単位空間ごとに、指向性を有する気象状況を表わす「第１因子」および指向性を有しない気象状況を表わす「第２因子」が含まれている。
【００２２】
クラスタリング要素１２は、対象空間が分割されることにより定義されている複数の単位空間を、気象情報に基づいて第１種クラスタおよび第２種クラスタを含む複数のクラスタに分類するように構成されている。「第１種クラスタ」は、第１因子と、対象空間において第２因子の変動因子となる特異因子の配置態様とに鑑みて、第２因子が影響を受ける単位空間から構成される。「第２種クラスタ」は、当該影響を受けない単位空間から構成される。
【００２３】
制御シナリオ設定要素１３は、クラスタごとに気象情報に含まれる第２因子に対する特異因子による影響の有無または程度を考慮に入れた上で、当該第２因子に基づいて建造物に設置されている空調設備２の動作の制御態様を設定するように構成されている。
【００２４】
空調設備２は、空調制御装置２１と、建造物における一または複数の異なる箇所に配置されている空調機器２２とを備えている。
【００２５】
空調制御装置２１は、ネットワーク経由で環境総合制御システム１と相互通信可能に構成されているコンピュータまたはパソコンにより構成されている。空調制御装置２１は、制御シナリオ設定要素１３により設定された空調設備２の制御態様に応じた制御指令信号をネットワーク経由で受信する。また、空調制御装置２１は、当該制御指令信号に応じて、個々の空調機器２２の動作を制御するように構成されている。さらに、空調機器は、建造物に設定されている気象状況センサ（図示略）による検知結果をネットワーク経由で環境総合システム１に対して送信してもよい。
【００２６】
空調機器２２は、その動作により、建造物の内部環境、具体的には、温度、湿度および風量等を調節するように構成されている。
【００２７】
（環境総合制御システムの機能）
まず、気象情報認識要素１１により、単位空間ごとの気象情報が認識される（図２／ＳＴＥＰ０１）。気象情報には、指向性を有する気象状況を表わす第１因子として「風向」が含まれ、かつ、指向性を有しない気象状況を表わす第２因子として「温度」が含まれている。気象情報は、たとえば予測気象情報であり、未来における１時間ごとの気象状況の変化を表わしている。
【００２８】
次に、クラスタリング要素１２により、気象情報に応じて、「第１種クラスタ」および「第２種クラスタ」を含む複数のクラスタが定義される（図２／ＳＴＥＰ０２）。クラスタリングの詳細については後述する。
【００２９】
そして、制御シナリオ設定要素１３により、クラスタごとに、気象情報に含まれる第２因子に対する特異因子による影響の有無または程度を考慮された上で、当該第２因子に基づいて建造物に設置されている空調設備２の動作の制御態様が設定される（図２／ＳＴＥＰ０３）。具体的には、気象情報に含まれる前記第２因子に対する前記特異因子による影響の有無または程度を考慮に入れられた上で、当該第２因子に基づき、空調設備２の制御態様が設定される。空調設備２の制御の詳細は後述する。
【００３０】
（クラスタリング実施例）
（クラスタリング（第１実施例））
単位空間の定義態様は多種多様である。ここでは、簡単のため、図３（ａ）に示されているように、制御対象となる建造物が存在する対象空間が東西南北に分割されることにより、矩形状の単位空間sij（ｉ＝１，２，‥，ｊ＝１，２，‥）が定義されていると仮定する。単位空間sijの長辺および短辺のそれぞれの長さは任意に変更されうる。斜線が付されている単位空間sijは、公園、人工池などの冷熱源（第１特異因子）を含む「第１特異空間」である。第１特異空間sijを基準として複数の単位空間が流動的にクラスタリングされる。
【００３１】
ある時間帯の風向（第１因子）が「北西」である、すなわち、単位空間si-1j-1から第１特異空間sijに向かう風WNWが吹くという気象情報が得られたと仮定する。この場合、図３（ｂ）に示されているように第１特異空間sijに対して風下側で隣接する単位空間を包含する第１種クラスタC1（WNE）＝｛si+1j〜si+2j，sij+1〜si+2j+1，sij+2〜si+2j+2｝と、第１特異空間sijに対して風上側で隣接する単位空間を包含する第２種クラスタC2（WNE）＝｛si-1j-1〜si+1j-1，si-1j，si-1j+1｝とを含む複数のクラスタが定義される。
【００３２】
また、ある時間帯の風向が「東」である、すなわち、単位空間sij+1から第１特異空間sijに向かう風WEが吹くという気象情報が得られたと仮定する。この場合、クラスタリングにより、図３（ｃ）に示されているように第１特異空間sijに対して風下側で隣接する単位空間を包含する第１種クラスタC1（WE）＝｛si-1j-2〜si+1j-2，si-1j-1〜si+1j-1｝と、第１特異空間sijに対して風上側で隣接する単位空間を包含する第２種クラスタC2（WE）＝｛si-1j，si+1j，si-1j+1〜si-1j+1｝とを含む複数のクラスタが定義される。
【００３３】
第１種クラスタC1に対して風下側で隣接する単位エリア群によって構成されている他の第１種クラスタが定義されてもよい。同様に、第２種クラスタC2に対して風上側で隣接する単位エリア群によって構成されている他の第２種クラスタが定義されてもよい。
【００３４】
なお、風向は例示したほか、南南西、東南等、たとえば１６方位によりさまざまに表現されうるため、当該風向に応じて形状が異なるように、第１種クラスタおよび第２種クラスタのそれぞれが定義されてもよい。風速が高いほど（または風力が強いほど）面積が大きくなるように第１種クラスタが定義されてもよい。
【００３５】
第１特異エリアは第１種クラスタおよび第２種クラスタとは別個のクラスタを構成してもよく、第１種クラスタまたは第２種クラスタの一部を構成してもよい。
【００３６】
（クラスタリング（第２実施例））
次に、図４（ａ）に示されているように、斜線が付されている一連の単位空間群｛sij｜i=1〜n｝が河川、森林などの冷熱源（第１特異因子）を含む「第１特異空間群」である場合について考える。この場合も、気象情報に含まれる風向等に応じて、第１特異空間群｛sij｝を基準として複数の単位空間が流動的にクラスタリングされる。
【００３７】
たとえば、ある時間帯の風向が「北」である、すなわち、ほぼ第１特異空間群｛sij｝に沿って風WNが吹くという気象情報が得られたと仮定する。この場合、クラスタリングにより、図４（ｂ）に示されているように第１特異空間｛sij｝に対して隣接する空間を包含する第１種クラスタC1（WN）＝｛sij-1｜i=1〜n｝＋｛sij+1｜i=1〜n｝と、当該クラスタC1（W1）に隣接する単位空間を包含する第２種クラスタC2（WN）＝｛sij-2｜i=1〜n｝＋｛sij+2｜i=1〜n｝とを含む複数のクラスタが定義される。
【００３８】
また、ある時間帯の風向が「北西」である、すなわち、第１特異空間群｛sij｝を横切る風WNWが吹くという気象情報が得られたと仮定する。この場合、クラスタリングにより、図４（ｃ）に示されているように第１特異空間群｛sij｝に対して風下側で隣接する単位空間を包含する第１種クラスタC1（WNW）＝｛sij+1｜i=1〜n｝＋｛sij+2｜i=1〜n｝と、当該第１種クラスタC1（WNW）に対して風下側で接する単位空間および第１特異空間sijに対して風上側で隣接する単位空間を包含する第２種クラスタC2（W2）＝｛sij-1｜i=1〜n｝＋｛sij+3｜i=1〜n｝とを含む複数のクラスタが定義される。
【００３９】
単位空間sijが、プラント等の温熱源（第１特異因子）を含む第１特異空間である場合も同様に、第１因子としての風向、または、風向および風速に応じて、当該第１特異空間を基準として単位空間のクラスタリングが実行される。
【００４０】
（クラスタリング（第３実施例））
単位空間に、丘陵等の地形、密集した建造物群等、気流または日照を阻害するような第２特異因子が含まれている場合、当該単位空間（第２特異空間）の存在を考慮してクラスタリングが実行されてもよい。
【００４１】
たとえば、図３（ａ）に示されている単位空間si+1j+1が第２特異空間に該当する場合、図３（ｂ）に示されている第１種クラスタC1（WNW）から、当該第２特異空間si+1j+1およびその風下側の単位空間si+2j+2が除外され、当該除外クラスタが第２種クラスタC2（WNW）等の別個のクラスタを構成してもよい。
【００４２】
また、図３（ａ）に示されている単位空間si+1jが第２特異空間に該当する場合、図３（ｃ）に示されている第１種クラスタC1（WE）から、当該第２特異空間si+1jの風下側にある単位空間si+1j-1およびsi+1j-2が除外され、当該除外クラスタが第２種クラスタC2（WE）等の別個のクラスタを構成してもよい。
【００４３】
第１因子として日射方向、または、日射方向および日照量が含まれている気象情報に基づき、日射方向について第２特異空間の下流側となる単位空間を包含する第１種クラスタと、日射方向について第２特異空間の上流側となる単位空間を包含する第２種クラスタとが定義されてもよい。日照量は、風よりも局所的な気象状況であるため、風向を考慮する場合よりもサイズが小さい単位空間（たとえば、２〜３の隣接した建造物を包含する程度の広がりを有する空間）が定義されてもよい。
【００４４】
第２特異空間は第１種クラスタおよび第２種クラスタとは別個のクラスタを構成してもよく、第１種クラスタまたは第２種クラスタの一部を構成してもよい。
【００４５】
（クラスタリング（第４実施例））
図５（ａ）に示されているように、第１特異因子としての河川の近傍空間における建造物の密集度合または地形等により、高さ方向について風の流れやすさが異なる場合がある。この場合、図５（ｂ）に示されているように水平方向のみならず、鉛直方向にも広がりを有する立体的な（直方体状の）単位空間が定義され、当該単位空間を対象として３次元的にクラスタリングが実行される。図５（ａ）では、鉛直方向について、標高範囲H0〜H0＋H1（第１層）と、標高範囲H0＋H1〜H0＋H2（第２層）とのそれぞれに区分して単位空間が定義される。
【００４６】
立体的な単位空間の形状はさまざまに変更されうる。たとえば、柱の下面または底面に対して、第１因子としての風向と同じ方向に当該柱の上面または天面が変位した、傾斜柱状の単位空間が定義されてもよい。柱の下面に対する上面の変位量の多少は風速の工程に応じて変更されてもよい。
【００４７】
風向および風速が同じであっても、高さが異なる層において水平方向について異なるクラスタが定義されてもよい。たとえば、第１層では水平方向について図３（ｂ）または図４（ｂ）に示されているクラスタが定義される一方、第２層では水平方向について図３（ｃ）または図４（ｃ）に示されているクラスタが定義されてもよい。
【００４８】
ただし、風向は水平方向であるとは限らないので、風向の鉛直方向成分をも考慮して３次元クラスタリングが実行されうる。たとえば、図５（ａ）において、左から右に吹き降ろすような風が吹いている場合、河川近傍の建造物の密集の影響は少ないと予測されるので、第１層および第２層のそれぞれにおいて水平方向に同等のクラスタが定義されてもよい。
【００４９】
（空調設備の動作制御実施例）
制御シナリオ設定要素１３は、クラスタごとに、気象情報に含まれる第２因子に対する特異因子による影響の有無または程度を考慮に入れた上で、当該第２因子に基づいて建造物に設置されている空調設備２の動作の制御態様を設定する。
【００５０】
具体的には、第１種クラスタC1に属する単位空間に関して、気象情報に含まれている第２因子としての温度が補正処理される。これは、第１種クラスタC1に属する空間では、第１特異因子としての冷熱源または温熱源を通過した風による建造物の外部雰囲気の冷却効果または温熱効果が期待されるためである。また、第２特異因子としての密集した建造物等により、日照が遮られる第１種クラスタC1に属する空間では、日照遮断による温熱効果の低減が期待されるためである。なお、温度に加えて第２因子としての湿度が補正されてもよい。
【００５１】
また、（１）建造物の空調コスト、（２）当該空調により外部環境に与えられる環境負荷、または（３）建造物の内部環境の人間にとっての快適指数が目標範囲に収まるように、各建造物の空調設備２の動作制御態様が設定される。
【００５２】
空調制御因子（１）〜（３）のうちいずれか１つが、空調制御装置２の入力装置（キーボード、マウスポインティング装置など）のユーザによる操作を通じて、空調設備２または空調機器２２ごとに個別に指定されうる。
【００５３】
空調コストは、エネルギー消費量または電気料金に換算して表現される。第２因子としての建造物の外部温度と、建造物の内部温度との偏差に基づき、当該内部温度を目標温度に一致させるために空調機器２２が消費する電力が算出される。消費電力の算出に際しては、空調制御対象となる部屋または内部空間の容積のほか、木構造および鉄筋コンクリート構造の別等、建造物の構造の相違等が考慮される。その上で、当該消費電力に基づき、空調コストが算出されうる。
【００５４】
環境負荷はCＯ2排出量に換算して表現される。前記のように算出される消費電力に基づき、環境負荷が算出されうる。
【００５５】
内部環境の快適指数は、PMV（Predicted Mean Vote）または不快指数の逆数に換算して表現される。空調設備２が有する温度計により測定される建造物の内部の温度および湿度等に基づき、快適指数が算出されうる。
【００５６】
各指標の数値を算出するためのアルゴリズムは、換算式または換算用チャートもしくはテーブルの形で、環境制御システム１を構成する記憶装置に保存されている。
【００５７】
空調設備２の動作が予測気象情報に基づいてフィードフォワード制御されてもよい。たとえば、気象情報に含まれる日照量の増加予測時刻に先立ち、建造物の内部温度が当該時刻以降も目標温度範囲に維持されるように、空調設備２の動作制御が開始されてもよい。
【００５８】
これにより、日照量が実際に多くなってから追従的に建造物の空調設備２の動作制御が開始される場合と比較して、当該建造物の内部温度が一時的に上昇する可能性が低減されうる。フィードフォワード制御は、フィードバック制御による応答遅れのために、一時的とはいえ建造物の内部環境が、目標とする環境から乖離する蓋然性が高い時間帯または状況において採用されれば足りる。
【００５９】
建造物の内部に設けられている温度計および湿度計による測定結果に応じて、当該測定値が、線滝指標値が目標範囲に収める観点から決定される目標温度範囲および目標湿度範囲のそれぞれに収まるように、空調設備２の動作がフィードバック制御されてもよい。
【００６０】
同一の建造物であっても、異なる箇所に設置されている空調機器２２の動作が異なる態様で制御されてもよい。たとえば、建造物のうち、図５（ａ）（ｂ）に示されている第１層に該当する下層階部分の空調制御態様と、第２層に該当する上層階部分の空調制御態様とが異なっていてもよい。これは、第２層では、第１特異因子を通過した風による建造物の外部雰囲気の冷却効果または温熱効果が期待されるためである。
【００６１】
同様の観点から、風上側の部屋または日照方向に向いている部屋については、その他の部屋と比較して冷房または暖房の強弱が差別化されてもよい。
【００６２】
（環境総合制御システムの作用効果）
本発明の環境総合制御システムによれば、対象空間に存在する特異因子の周囲において、当該特異因子から第２因子が受ける影響度が高い空間と、当該影響度が低い空間との分布態様が、第１因子により表わされる気象状況の指向性に応じて変動することに鑑みて、複数の単位空間のクラスタリングが実行される。
【００６３】
そして、クラスタリングにより定義されたクラスタごとに、第２因子が受ける影響の有無または程度が考慮された上で、当該第２因子に基づいて建造物に設置されている空調設備の動作態様が制御される。
【００６４】
たとえば、第１種クラスタC1を構成する単位空間においては、気象情報に含まれる温度（第２因子）に対する特異因子の影響が勘案された上で、空調設備２の動作が制御される。また、第２種クラスタC2を構成する単位空間においては、気象情報に含まれる温度（第２因子）が主に勘案された上で、空調設備２の動作が制御される。
【００６５】
これにより、温度（第２因子）に対する熱源または気流阻害物体（特異因子）の影響度の高低に応じた適当な態様で、地理的に分散している複数の建造物における空調設備２の動作が総合的に制御されうる。
【００６６】
クラスタごとに（１）建造物の空調コスト節約、（２）当該空調により外部環境に与えられる環境負荷低減、または（３）建造物の内部における快適性等の向上を図りうるように、各空調設備の動作が制御されうる。
【図１】
2012035659.tif 000003
【図２】
2012035659.tif 000004
【図３】
2012035659.tif 000005
【図４】
2012035659.tif 000006
【図５】
2012035659.tif 000007
【国際調査報告】
2012035659.tif 000008
2012035659.tif 000009
2012035659.tif 000010
2012035659.tif 000011